(57)【要約】【課題】  人等が乗って使用する際に、踏み台が動かないよう止めることできるようにした、踏み台を備える収納家具を提供する。【解決手段】  食器棚Ｓは、下部に引き出し可能な踏み台２を有し、踏み台２の下側には、接地体３と、車輪４と、接地体３と協働して踏み台にかかる荷重を分散する架設支持部材２７と、踏み台２を円滑に出し入れできるようにするスライドレール２８を有している。車輪４は、床面側に付勢され踏み台２の出し入れの際には床面と接しており、接地体３および架設支持部材２７は、踏み台２の出し入れの際は床面から浮いている。踏み台２に荷重がかかったときは、付勢力に抗して踏み台２が下がり、接地体３は床面と接し、スライドレール２８は荷重がかかった方向に撓み、架設支持部材２７は食器棚本体１の底板１４と接してそれぞれ荷重を受けると共に踏み台２が動かないよう止める。【選択図】        図１
2006025944.tif 000002
【特許請求の範囲】
【請求項１】
下部に引き出し可能に収納されている踏み台を有し、当該踏み台は、引き出したとき又は踏み台に荷重がかかったときに動かないような手段を有していることを特徴とする、
収納家具。
【請求項２】
下部に引き出し可能に収納されている踏み台を有し、
当該踏み台の下側には、支持体と、踏み台の出し入れを助ける車輪を有しており、
当該支持体は、踏み台の出し入れの際は設置面から浮いており、上記踏み台を引き出したとき又は踏み台に荷重がかかったときに設置面と接して、上記踏み台が動かないよう止めることを特徴とする、
収納家具。
【請求項３】
下部に引き出し可能に収納されている踏み台を有し、
当該踏み台の下側には、支持体と、踏み台の出し入れを助ける車輪と、支持体と協働して踏み台にかかる荷重を分散する分散体を有し、
上記車輪は、設置面側に付勢され踏み台の出し入れの際には設置面と接しており、
上記支持体および分散体は、踏み台の出し入れの際は設置面から浮いており、
上記踏み台に荷重がかかったときは、上記付勢力に抗して踏み台が下がり、支持体は設置面と接し、分散体は家具の荷重受部と接してそれぞれ荷重を受けると共に上記踏み台が動かないよう止めることを特徴とする、
収納家具。
【請求項４】
下部に引き出し可能に収納されている踏み台を有し、
当該踏み台の下側には、支持体と、踏み台の出し入れを助ける車輪と、支持体と協働して踏み台にかかる荷重を分散する分散体と、踏み台を円滑に出し入れできるようにする伸縮可能なスライドレールを有し、
上記車輪は、設置面側に付勢され踏み台の出し入れの際には設置面と接しており、
上記支持体および分散体は、踏み台の出し入れの際は設置面から浮いており、
上記踏み台に荷重がかかったときは、上記付勢力に抗して踏み台が下がり、支持体は設置面と接し、スライドレールは荷重がかかった方向に撓み、分散体は家具の荷重受部と接してそれぞれ荷重を受けると共に上記踏み台が動かないよう止めることを特徴とする、
収納家具。
【請求項５】
下部に引き出し可能に収納されている踏み台を引き出し、踏み台の上に乗ったときに踏み台の下側に設けた支持体が設置面と接して踏み台の動きを止めることを特徴とする、
踏み台付収納家具における踏み台の動きを止める方法。
【請求項６】
車輪を設置面上で転がしながら下部に引き出し可能に収納した踏み台を引き出し、踏み台の上に乗ったときに踏み台が下がり、車輪と共に踏み台の下側に設けた支持体が設置面と接して踏み台の動きを止めることを特徴とする、
踏み台付収納家具における踏み台の動きを止める方法。
【発明の詳細な説明】
【技術分野】
【０００１】
本発明は、引き出し可能に収納されている踏み台を有する収納家具及び踏み台付収納家具における踏み台の動きを止める方法に関する。更に詳しくは、人等が乗って使用する際に踏み台が動かないよう止めることできるようにしたものに関する。
【背景技術】
【０００２】
例えば、近年の食器棚は、収納量を多くするため高さを高くしたものが主流であり、床から天板までが２ｍを超えるものも珍しくない。しかしながら、上部側の収納部に収納したものは手が届かないので出し入れし難く、そのためこの収納部に収納した食器等は使われなくなりやすい。
【０００３】
特許文献１には、食器棚ではないが、高所にある棚への物品の出し入れがし易くできる、踏み台を具有する踏み台付き書庫ユニットが開示されている。この書庫ユニットは、引き出し可能に内蔵してある踏み台を備えている。
【特許文献１】実開平５−３４９３１号公報
【発明の開示】
【発明が解決しようとする課題】
【０００４】
しかし、上記した書庫ユニットには、次のような課題があった。
書庫ユニットが備える踏み台にはキャスターが設けてあり、引き出して出し入れし易いようにしてある。しかし、踏み台には、乗ったときに動かないように止める機能が備えられていなかった。そのため、乗って棚上の物品を出し入れしているときに、不意に踏み台が動いてしまい転倒するような危険があった。
【０００５】
本発明の目的は、乗って使用する際に踏み台が動かないよう止めることができ、安全性の向上を図った、収納家具及び踏み台付収納家具における踏み台の動きを止める方法を提供することにある。
【課題を解決するための手段】
【０００６】
上記目的を達成するために本発明が講じた手段は次のとおりである。
第１の発明にあっては、
下部に引き出し可能に収納されている踏み台を有し、当該踏み台は、引き出したとき又は踏み台に荷重がかかったときに動かないような手段を有していることを特徴とする、
収納家具である。
【０００７】
第２の発明にあっては、
下部に引き出し可能に収納されている踏み台を有し、
当該踏み台の下側には、支持体と、踏み台の出し入れを助ける車輪を有しており、
当該支持体は、踏み台の出し入れの際は設置面から浮いており、上記踏み台を引き出したとき又は踏み台に荷重がかかったときに設置面と接して、上記踏み台が動かないよう止めることを特徴とする、
収納家具である。
【０００８】
第３の発明にあっては、
下部に引き出し可能に収納されている踏み台を有し、
当該踏み台の下側には、支持体と、踏み台の出し入れを助ける車輪と、支持体と協働して踏み台にかかる荷重を分散する分散体を有し、
上記車輪は、設置面側に付勢され踏み台の出し入れの際には設置面と接しており、
上記支持体および分散体は、踏み台の出し入れの際は設置面から浮いており、
上記踏み台に荷重がかかったときは、上記付勢力に抗して踏み台が下がり、支持体は設置面と接し、分散体は家具の荷重受部と接してそれぞれ荷重を受けると共に上記踏み台が動かないよう止めることを特徴とする、
収納家具である。
【０００９】
第４の発明にあっては、
下部に引き出し可能に収納されている踏み台を有し、
当該踏み台の下側には、支持体と、踏み台の出し入れを助ける車輪と、支持体と協働して踏み台にかかる荷重を分散する分散体と、踏み台を円滑に出し入れできるようにする伸縮可能なスライドレールを有し、
上記車輪は、設置面側に付勢され踏み台の出し入れの際には設置面と接しており、
上記支持体および分散体は、踏み台の出し入れの際は設置面から浮いており、
上記踏み台に荷重がかかったときは、上記付勢力に抗して踏み台が下がり、支持体は設置面と接し、スライドレールは荷重がかかった方向に撓み、分散体は家具の荷重受部と接してそれぞれ荷重を受けると共に上記踏み台が動かないよう止めることを特徴とする、
収納家具である。
【００１０】
第５の発明にあっては、
下部に引き出し可能に収納されている踏み台を引き出し、踏み台の上に乗ったときに踏み台の下側に設けた支持体が設置面と接して踏み台の動きを止めることを特徴とする、
踏み台付収納家具における踏み台の動きを止める方法である。
【００１１】
第６の発明にあっては、
車輪を設置面上で転がしながら下部に引き出し可能に収納した踏み台を引き出し、踏み台の上に乗ったときに踏み台が下がり、車輪と共に踏み台の下側に設けた支持体が設置面と接して踏み台の動きを止めることを特徴とする、
踏み台付収納家具における踏み台の動きを止める方法である。
【００１２】
「引き出したときに動かないような手段」としては、例えば、引き出したときに嵌合する溝や段部等、種々のものを挙げることができる。
また、「踏み台に荷重がかかったときに動かないような手段」としては、例えば、踏み台を下降させることで車輪に上方から力をかけ、これにより車輪の回転が止まるようにしたもの等を挙げることができる。
【００１３】
「設置面」としては、例えば、床面があるが、これに限定するものではない。
【００１４】
本発明に係る収納家具としては、例えば、食器棚、リビングボード、飾り棚、書棚、下駄箱、箪笥類等を挙げることができる。
【００１５】
収納部は、引き戸や開き戸を設けて構成したものを用いることもできる。
【００１６】
（作  用）
本発明に係る収納家具に設けた踏み台は、引き出したとき又は踏み台に荷重がかかったときに動かないよう止まる。
【００１７】
本発明に係る収納家具に設けた踏み台のうち、下側に支持体と車輪を備えるようにしたものは、引き出したとき又は踏み台に荷重がかかったときに、支持体が設置面と接して動かないよう止まる。
【００１８】
本発明に係る収納家具に設けた踏み台のうち、下側に支持体と車輪と分散体を備えるようにしたものは、踏み台に荷重がかかったとき、付勢力に抗して踏み台が下がり、支持体が設置面と接し、分散体が家具の荷重受部と接して、それぞれ荷重を受けると共に動かないよう止まる。
【００１９】
本発明に係る収納家具に設けた踏み台のうち、下側に支持体と車輪と分散体とスライドレールを備えるようにしたものは、スライドレールにより踏み台が円滑に引き出される。また、踏み台に荷重がかかったときは、付勢力に抗して踏み台が下がり、支持体が設置面と接し、スライドレールが荷重がかかった方向に撓み、分散体が家具の荷重受部と接して、それぞれ荷重を受けると共に動かないよう止まる。
【００２０】
本発明に係る踏み台付収納家具における踏み台の動きを止める方法では、下部に引き出し可能に収納されている踏み台を引き出し、踏み台の上に乗ったときに踏み台の下側に設けた支持体が設置面と接して踏み台の動きを止める。
【００２１】
本発明に係る踏み台付収納家具における踏み台の動きを止める方法では、車輪を設置面上で転がしながら下部に引き出し可能に収納した踏み台を引き出し、踏み台の上に乗ったときに踏み台が下がり、車輪と共に踏み台の下側に設けた支持体が設置面と接して踏み台の動きを止める。
【発明の効果】
【００２２】
本発明は上記構成を備え、次の効果を有する。
（ａ）本発明によれば、踏み台を引き出したとき又は踏み台に荷重がかかったときに動かないよう止めることができるので、収納家具の上部に収納したもの等の出し入れが安全にできる。
【００２３】
（ｂ）本発明のうちスライドレールを備えるようにしたものは、スライドレールにより踏み台を円滑に引き出すことを可能にすると共に、踏み台に荷重がかかったときは、当該踏み台を動かないよう止めることができる。従って、使い易い。
【発明を実施するための最良の形態】
【００２４】
本発明の実施の形態を図面に基づき更に詳細に説明する。
図１は本発明に係る収納家具の第１の実施の形態を示しており、踏み台を引き出した状態の斜視説明図、
図２は図１に示す収納家具を底面側からみた状態の拡大斜視説明図、
図３は踏み台を食器棚本体内に収納した状態を示す要部拡大断面図、
図４は踏み台を食器棚本体から引き出した状態を示す要部拡大断面図、
図５は引き出した踏み台に人が乗った状態を示す要部拡大断面図である。
【００２５】
符号Ｓ１は収納家具である食器棚を示している。食器棚Ｓ１は、上部収納部１０、載置部１１、小物収納部１２、下部収納部１３を有する食器棚本体１を備えている。食器棚本体１の上部収納部１０と下部収納部１３は、前面に引き戸１００，１３０を設けて構成されている。また、小物収納部１２は手前に引き出せるよう構成されている。食器棚本体１の下部側には、食器棚本体１の横幅と略同じ長さの横幅を有する踏み台２が、手前に引き出し可能（食器棚本体１に出し入れ可能）に内蔵してある。
【００２６】
踏み台２の構成について説明する。
踏み台２は、化粧板２０，前板２１、側板２２、後板２３、底板２４、踏み板２５を組み合わせて、内部に収納部２６を有するよう構成された箱状の引き出し構造を有している。収納部２６の内部には仕切板２６０が設けてある。
【００２７】
踏み台２を構成する前板２１と仕切板２６０は、上面が後板２３よりも高さがやや低くなるよう設定してある。また、後板２３の上部には段部２３０が形成してあり、この段部２３０の下側の面は上記した前板２１や仕切板２６０の上面と同じ高さになるよう設定してある。
踏み板２５は、食器棚本体１の半分程度の横幅を有しており、上記した前板２１と仕切板２６０の上面と、後板２３の段部２３０の下側の面上に乗せて、収納部２６上に蓋のように被さって設けてある。
【００２８】
化粧板２０の前面側には、引き出すときに手を掛けるための引掛部２００が形成してある。
【００２９】
底板２４の裏面の前側には、立方体形状を有し、設置面である床面と接地可能な支持体である接地体３が、横幅方向に所要間隔をあけて三箇所に設けてある（図２では一箇所しか見えない）。接地体３の下面は、床面に接地可能な面状の接地部３０である。
【００３０】
各接地体３の両側方には、それぞれに車輪４０，４０が車輪ケース４１に収納された状態で回転可能に設けてある。通常状態において接地体３と車輪４０，４０は、接地部３０が車輪４０，４０の外径よりもやや内側となる高さの位置に設けられる位置関係を有するようにしてある（図３及び図４参照。つまり、通常状態で接地部３０は床面と接しておらずやや浮いた状態になる）。
【００３１】
車輪４０，４０は弾性体である圧縮バネ（図示省略）を利用し、上方から所定以上の力をかけることによって圧縮バネを縮ませ、接地体３を下降させて接地部３０が床面に接地できる（例えば、圧縮バネが略７〜８ｍｍ縮んだときに接地部３０が床面に接地する）よう車輪ケース４１に設けてある（図５参照）。
【００３２】
また、底板２４の裏面には、接地体３と協働して踏み台２にかかる荷重を分散する分散体である架設支持部材２７と、スライドレール２８と、スライドレール２８を所定の高さの位置に設けるための板状形状を有する位置調整部材２９が設けてある。架設支持部材２７とスライドレール２８はそれぞれ隣り合って設けてあり（図２参照）、横幅方向において所要間隔をあけて三箇所に設けてある（図２では一箇所しか見えない）。
【００３３】
架設支持部材２７は、踏み台２の底板２４の前後方向の長さよりもやや長く、引き出したときに後端側２７０が底板１４（後述）の上方まで延びるような板状形状を有している。この架設支持部材２７は、踏み台２に人が乗って荷重がかかったときに下降して底板１４と当接するので、上記した接地体３と共に荷重（重量）を支えるにたり得る板厚を備えている。
【００３４】
架設支持部材２７は、後板２３の下端の一部を切り欠き、先端を前板２１の後面に当てた状態で所要位置を上記した切り欠きに嵌めて、後端側２７０が後板２３から突出するよう底板２４の裏面に密着させて取り付けてある（図３，図４，図５参照）。本実施の形態で架設支持部材２７は、無垢の木材を使用したが、これは限定するものではなく、踏み台２に人が乗ったときの荷重を支えることができれば、例えば、金属や合成樹脂で形成することもできる。
【００３５】
スライドレール２８は、三つのレール部材２８０，２８１，２８２を入子式に設けて伸縮可能に構成されたものを使用している。スライドレール２８は、引き出して伸びた状態で荷重がかかり、架設支持部材２７が下降して底板１４と当接するとき、撓んで（湾曲して）弾性変形することが可能である。スライドレール２８は、公知技術のものを使用したので、詳細な説明は省略する。
【００３６】
位置調整部材２９は、スライドレール２８を設ける箇所と対応する底板２４の裏面に密着させて取り付けてある。この位置調整部材２９は、スライドレール２８を裏面に設けたときの厚みが、架設支持部材２７よりやや厚くなる厚みを有するようしてある。この厚みによって、踏み台２を食器棚本体１内に、架設支持部材２７が底板１４と当たらず浮いた状態（例えば、略１〜２ｍｍの隙間ができる状態）で収納することができる（図３．図４参照）。
【００３７】
食器棚本体１の底部側にあたる部分には、スライドレール２８のレール部材２８２が固定される荷重受部である底板１４が設けてある。底板１４は、踏み台２に人が乗って荷重がかかったときに架設支持部材２７が下降して後端側２７０が当接するので、この荷重（重量）を支えるにたり得る板厚を備えている。また、底板１４は、レール部材２８２を上面に固定した状態で踏み台２を食器棚本体１内に収納したときに、架設支持部材２７が底板１４と当たらずやや浮いた状態（例えば、略１〜２ｍｍの隙間ができる状態）となるよう設定できる位置に設けてある（図３参照）。
【００３８】
踏み台２は、入子状態で最も内側に配置される一端側のレール部材２８０を位置調整部材２９に固定し、入子状態で最も外側に配置される他端側のレール部材２８２を食器棚本体１の底板１４に固定して、スライドレール２８が略水平方向にスライドできるよう取り付けてある。
【００３９】
（作  用）
図１ないし図５を参照して本実施の形態で示す食器棚Ｓ１の作用を説明する。
食器棚Ｓ１に設けた踏み台２は、化粧板２０の引掛部２００に手を掛けて手前に引くことで、架設支持部材２７が底板１４に当たらない（擦らない）状態でスライドレール２８をスライドさせてスムーズに引き出すことができる（図３，図４参照）。
【００４０】
引き出した踏み台２は、上面に踏み板２５が設けてあるので、この踏み板２５上に乗ることができる。これにより例えば、上部収納部１０に収納したものや、天板上に置いたもの等の出し入れがし易くなる。
【００４１】
踏み台２に人が乗ったときの作用を詳しく説明する。
踏み台２に乗ることにより車輪４０，４０に荷重がかかる。これにより圧縮バネが縮み、接地体３が下降して接地部３０が床面に接地する（図５参照）。
踏み台２は、スライドレール２８が略水平に伸びた状態で引き出されていたので、このように接地体３が床面に接地した状態になれば撓んだ（湾曲した）状態となり、更に、踏み台２は全体が下降するので、架設支持部材２７の後端側２７０が底板１４に乗って当接した状態になる。こうして踏み台２は、接地体３と底板１４に当接した架設支持部材２７の後端側２７０によって荷重が支えられた状態となる。
【００４２】
このように踏み台２は、人が乗る等して荷重が加えられることにより接地体３が接地し、更に底板１４に当接した架設支持部材２７によって支えられ、動かないよう止めた状態になるので、安全に上部収納部１０に収納したものや、天板上に置いたもの等の出し入れができる。
【００４３】
食器棚本体１が備える上部収納部１０や下部収納部１３は、前面に引き戸１００，１３０を備えて構成されているので、踏み台２に乗った場合でも戸の開閉が支障なくできる。これに対して例えば開き戸を備えたものでは、踏み台２に乗った状態では、戸の開閉時に体を反らしたり、一端踏み板２から降りたりすることがある。つまり、踏み台２を備えた収納家具では、開き戸よりも引き戸を有するものの方が使い勝手が良い。
【００４４】
また、例えば、下部収納部１３や踏み台２内の収納部２６等に食器等を収納等する場合では、食器を踏み板２５上に一時的に置いたりして、踏み板２５を食器の仮置き場として利用することができ、収納し易くなる。また、この場合では、収納するときに食器を直接床面に置くこともなくなるので、衛生面からも好ましい。
【００４５】
また、踏み板２５は、前板２１と仕切板２６０の上面、後板２３の段部に乗せてあるだけなので着脱が簡単である。従って、例えば、上面に食器を乗せて運搬用のトレイとして使うこともできる。
【００４６】
本実施の形態において踏み板２５は、所要の横幅を有し、横幅方向に移動可能なものを使用したが、踏み板は収納部２６の全面に被るようなものを使用することもできる。
【００４７】
本実施の形態で踏み板は、容易に曲がったりしない無垢の一枚物を使用した。従って、乗ったときに不安を感じ難い。しかし、これは限定するものではなく、頑丈であり容易に曲がったりしないものであれば、例えば、合板を使用することもできるし、木材以外の金属、竹、合成樹脂等で形成されたものを使用することもできる。
【００４８】
本実施の形態で示す踏み台２では示していないが、例えば、踏み台は踏み板上に乗って圧縮バネが縮んだ状態のときに、踏み板の上面が水平になるようすることもできる。
【００４９】
本実施の形態で示す車輪４０は、１個当たり約６ｋｇの荷重がかかったときに接地部３０が床面に接地できるよう設定してあるものを使用した。従って、踏み台２には車輪４０が合計６箇所に設けてあるので、踏み台２の重量も含めて約３６ｋｇ以上の荷重がかかれば接地部３０は接地する。従って、例えば、子供が乗った場合でも、踏み台が動かないよう止めることができ安全性が高い。しかし、車輪において接地部が床面に接地するときの荷重は特に限定するものではなく、種々に設定可能である。また、車輪の数も特に限定するものではなく、例えば、横幅の短い踏み台であれば４箇所に設けることもできるし、また、長いものでは八箇所に設けることもできる。
【００５０】
また、本実施の形態で示す踏み台２には、食器棚本体１内に収納時において収納部２６内に虫等が入り込まないような構造または処理が施してある。
【００５１】
図６は本発明に係る収納家具の第２の実施の形態を示しており、踏み台を引き出した状態の斜視説明図である。
なお、図１ないし図５において、上記図６で示したものと同一または同等箇所には同一の符号を付して示している。また、以下の説明において構造について上記で示した箇所と重複する説明は、必要な事項を除き省略する。
【００５２】
符号Ｓ２は収納家具を示している。食器棚Ｓ２は、上記した食器棚Ｓ１よりやや横幅の広い形状を有している。食器棚本体１ａの下部側には、食器棚本体１ａの横幅の略半分の横幅を有する踏み台２ａ、２ａが、別々に手前に引き出し可能に二箇所に内蔵してある。
【００５３】
一方の踏み台２ａの上部には、踏み板２５ａが設けてある。踏み板２５ａは収納部２６ａの全面に被る大きさに形成してある。踏み板２５ａは他方の踏み台２ａの上部にも設けることができる。
【００５４】
各踏み台２ａの前側には、車輪（図では見えない）が横幅方向に二箇所ずつ、合計四箇所に設けてある。
【００５５】
上記した実施の形態では踏み台２、２ａの全体が下降することで、踏み台２、２ａ自体が動かず止めることができるようにしたものを示したが、これは限定するものではなく、例えば、踏み台が前板、側板、後板で枠組されており、この枠組の内部に設けたものの上に乗ることで、枠組は固定せずに乗ったものだけが動かないよう止めるようにしたものを採用することもできる。
【００５６】
（作  用）
図６を参照して本実施の形態で示す食器棚Ｓ２の作用を説明する。
なお、上記した食器棚Ｓ１と共通する構成により生じる同様の作用、効果については説明を省略し、相違する点についてのみ説明する。
食器棚Ｓ２に設けた踏み台２ａ、２ａ、別々に独立して引き出すことができる。従って、例えば、上部収納部１０の片側に収納したものを出し入れする場合等では、一方の踏み台２ａだけを引き出して使うことができる。
【００５７】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００５８】
【図１】本発明に係る収納家具の第１の実施の形態を示しており、踏み台を引き出した状態の斜視説明図。
【図２】図１に示す収納家具を底面側からみた状態の拡大斜視説明図。
【図３】踏み台を食器棚本体内に収納した状態を示す要部拡大断面図。
【図４】踏み台を食器棚本体から引き出した状態を示す要部拡大断面図。
【図５】引き出した踏み台に乗った状態を示す要部拡大断面図。
【図６】本発明に係る収納家具の第２の実施の形態を示しており、踏み台を引き出した状態の斜視説明図。
【符号の説明】
【００５９】
Ｓ１，Ｓ２  食器棚
１，１ａ  食器棚本体
１０  上部収納部
１００  引き戸
１１  載置部
１２  小物収納部
１３  下部収納部
１３０  引き戸
１４  底板
２，２ａ  踏み台
２０  化粧板
２００  引掛部
２１  前板
２２  側板
２３  後板
２４  底板
２５，２５ａ  踏み板
２６，２６ａ  収納部
２６０  仕切板
２７  架設支持部材
２８  スライドレール
２８０，２８１，２８２  レール部材
２９  位置調整部材
３  接地体
３０  接地部
４０  車輪
４１  車輪ケース
【図１】
2006025944.tif 000003
【図２】
2006025944.tif 000004
【図３】
2006025944.tif 000005
【図４】
2006025944.tif 000006
【図５】
2006025944.tif 000007
【図６】
2006025944.tif 000008